(57)【特許請求の範囲】
【請求項１】
複数のバッテリを装着可能な電子機器に搭載され、前記電子機器に装着された複数のバッテリのうちの一つのバッテリを、前記電子機器の動作電力の電力供給源とするバッテリとして設定する電源制御装置であって、
前記電子機器に装着された各バッテリの出力電圧を検出する電圧検出手段と、
電力供給源として設定したバッテリの出力電圧が第１の電圧値以下に降下したときに、前記第１の電圧値超の出力電圧を有する他のバッテリに電力供給源とするバッテリを切り替えると共に、当該切り替え後の所定期間内に当該切り替え前に電力供給源としていたバッテリの出力電圧が、前記第１の電圧値と等しいもしくは前記第１の電圧値より大きい電圧値である第２の電圧値に上昇した場合には、当該切り替え前に電力供給源としていたバッテリに、電力供給源とするバッテリを切り替えるバッテリ切替手段とを有することを特徴とする電源制御装置。
【請求項２】
請求項１記載の電源制御装置であって、
前記バッテリ切り替え手段は、前記電子機器に外部電源が供給されている場合には、前記バッテリを電力供給源として設定せずに、当該外部電源を前記電力供給源として選定することを特徴とする電源制御装置。
【請求項３】
複数のバッテリのうちの一つのバッテリを、電力供給源とするバッテリとして設定する電源制御方法であって、
各バッテリの出力電圧を検出するステップと、
電力供給源として設定したバッテリの出力電圧が第１の電圧値以下に降下したときに、前記第１の電圧値超の出力電圧を有する他のバッテリに電力供給源とするバッテリを切り替えると共に、当該切り替え後の所定期間内に当該切り替え前に電力供給源としていたバッテリの出力電圧が、前記第１の電圧値と等しいもしくは前記第１の電圧値より大きい電圧値である第２の電圧値に上昇した場合には、当該切り替え前に電力供給源としていたバッテリに、電力供給源とするバッテリを切り替えるステップとを有することを特徴とする電源制御方法。
【発明の詳細な説明】
【技術分野】
【０００１】
本発明は、複数のバッテリを装着可能な電子機器において、電源の切り替えを制御する技術に関するものである。
【背景技術】
【０００２】
複数のバッテリを装着可能な電子機器において電源の切り替えを制御する技術としては、二つのバッテリを備え、備えた二つのバッテリのうち、より電圧が大きい方のバッテリを現用のバッテリとして使用し、現用としての使用を開始したバッテリを、当該バッテリの供給電圧が当該電子機器が正常に動作できなくなる電圧に低下するまで、現用として使用し続ける技術が知られている（たとえば、特許文献１）。
【特許文献１】特開平5-289784号公報
【発明の開示】
【発明が解決しようとする課題】
【０００３】
さて、充電型のバッテリは、その特性上、バッテリに充電した電力を、より使い切った後の方が、より良好に充電できることが知られている。
しかしながら、前記特許文献１記載の技術のように、バッテリの供給電圧が当該電子機器が正常に動作できなくなる電圧に低下するまで使用しただけでは、必ずしも充分にバッテリに充電した電力を使い切ることができない。
そこで、本発明は、複数のバッテリのうちからの現用として使用するバッテリの切り替えを、より良好にバッテリを充電可能なように制御することを課題とする。
【課題を解決するための手段】
【０００４】
前記課題達成のために、本発明は、複数のバッテリを装着可能な電子機器に搭載され、前記電子機器に装着された複数のバッテリのうちの一つのバッテリを、前記電子機器の動作電力の電力供給源とするバッテリとして設定する電源制御装置に、前記電子機器に装着された各バッテリの出力電圧を検出する電圧検出手段と、電力供給源として設定したバッテリの出力電圧が第１の電圧値以下に降下したときに、前記第１の電圧値超の出力電圧を有する他のバッテリに電力供給源とするバッテリを切り替えると共に、当該切り替え後の所定期間内に当該切り替え前に電力供給源としていたバッテリの出力電圧が、前記第１の電圧値と等しいもしくは前記第１の電圧値より大きい電圧値である第２の電圧値に上昇した場合には、当該切り替え前に電力供給源としていたバッテリに、電力供給源とするバッテリを切り替えるバッテリ切替手段とを備えたものである。
【０００５】
このような電源制御装置によれば、電力供給源とするバッテリとして設定したバッテリは、最初に第１の電圧値に降下するまでと、第１の電圧値に降下後に所定期間内に第２の電圧値に復帰してから再び第１の電圧値に降下するまで、優先的に電力供給源として使用されることになる。よって、当該バッテリを電子機器の動作に支障が生じない範囲内において優先的に、より完全に当該バッテリの電力を使い切るまで電力供給源として使用することができ、これにより当該バッテリをより良好に充電することができるようになる。
【０００６】
なお、このような電源制御装置は、前記バッテリ切替手段において、前記電子機器に外部電源が供給されている場合には、前記バッテリを電力供給源として設定せずに、当該外部電源を前記電力供給源として選定するように構成してもよい。
【発明の効果】
【０００７】
以上のように、本発明によれば、複数のバッテリのうちからの現用として使用するバッテリの切り替えを、より良好にバッテリを充電可能なように制御することができる。
【発明を実施するための最良の形態】
【０００８】
以下、本発明の実施形態を説明する。
図１に、本実施形態に係る電子機器の電源制御装置１０の構成を示す。
ここで、本電源制御装置は、測定装置等の電子機器に搭載されるものであり、商用電源等である外部電源からＤＣ電源を生成するＤＣコンバータ１と、電子機器に交換可能に搭載される第１バッテリ２と、電子機器に交換可能に搭載される第２バッテリ３との三つの電源のいずれかを、電子機器の機能部４で使用する電力Ｐを供給する電源として選択するものである。なお、機能部４は、たとえば、電子機器が測定装置であれば、測定機能等の当該電子機器が備える本来の機能を実行する部位である。
【０００９】
さて、図示するように電源制御装置１０は、カソードが相互に接続され、ＤＣコンバータ１と第１バッテリ２と第２バッテリ３の出力の各々に、アノードがそれぞれ接続された３つのダイオードよりなるダイオード回路１１を有する。そして、このダイオード回路１１は、ＤＣコンバータ１と第１バッテリ２と第２バッテリ３のうちのいずれかの出力を、電源制御装置１０の動作電圧Vccとして出力する。
【００１０】
また、電源制御装置１０において、ＤＣコンバータ１の出力はダイオード１２を介してパワースイッチ１３の入力に供給され、第１バッテリ２の出力は第１スイッチ１４を介してパワースイッチ１３の入力に供給され、第２バッテリ３の出力は第２スイッチ１５を介してパワースイッチ１３の入力に供給される。そして、電子機器の機能部４には、パワースイッチ１３を介して電力が供給される。
【００１１】
また、電源制御装置１０は、ＤＣコンバータ１の出力電圧値が、正常電圧範囲の下限TH0を超えているかどうかを検出し検出結果信号LINEHを、制御ロジック回路２３に出力するライン用正常電圧検出回路１６、第１バッテリ２の出力電圧値が、正常電圧範囲の下限TH0を超えているかどうかを検出し検出結果信号BT1Hを、制御ロジック回路２３に出力する第１正常電圧検出回路１７、第２バッテリ３の出力電圧値が、正常電圧範囲の下限TH0を超えているかどうかを検出し検出結果信号BT2Hを、制御ロジック回路２３に出力する第２正常電圧検出回路１８を備えている。
【００１２】
また、電源制御装置１０には、ＤＣコンバータ１の出力電圧値をデジタル値に変換し、電源切替制御部２４に出力するライン用アナログデジタル変換器１９（ライン用ＡＤＣ１９）、第１バッテリ２の出力電圧値をデジタル値に変換し、電源切替制御部２４に出力する第１アナログデジタル変換器２０（第１ＡＤＣ２０）、第２バッテリ３の出力電圧値をデジタル値に変換し、電源切替制御部２４に出力する第２アナログデジタル変換器２１（第２ＡＤＣ２１）、パワースイッチ１３への入力電圧値をデジタル値に変換し、電源切替制御部２４に出力する電源電圧アナログデジタル変換器２２（電源電圧ＡＤＣ２２）が設けられている。
【００１３】
また、電源制御装置１０は、パワースイッチ１３への入力から、動作電圧Vbを生成するＬＤＯ２５（低ドロップアウトリニア電圧レギュレータ）を備えている。そして、電源切替制御部２４と、第１アナログデジタル変換器２０、第２アナログデジタル変換器２１、電源電圧アナログデジタル変換器２２は、このＬＤＯ２５が生成する動作電圧Vbで動作し、電源制御装置１０の他部は、ダイオード回路１１が生成する動作電圧Vccで動作する。
【００１４】
さて、このような構成において、制御ロジック回路２３は、電源切替制御部２４から出力される第１バッテリ優先信号SELBT1と、ライン用正常電圧検出回路１６から出力されるLINEH、第１正常電圧検出回路１７から出力されるBT1H、第２正常電圧検出回路１８から出力されるBT2Hに基づいて、第１スイッチ１４のオン/オフを制御する制御信号BT1ONと、第２スイッチ１５のオン/オフを制御する制御信号BT2ONとを、第１スイッチ１４と第２スイッチ１５にそれぞれ出力する。また、制御信号BT1ONとBT2ONは、電源切替制御部２４にも出力される。
【００１５】
電源切替制御部２４は、電源電圧アナログデジタル変換器２２が出力する電圧値が正常であった場合に、ユーザの電源オン/オフ操作に応じてパワースイッチ１３をオンに制御する制御信号PWONを出力する処理を行う。また、電源切替制御部２４は、後に示す優先バッテリ切替処理によって第１バッテリ優先信号SELBT1の値を制御する。
【００１６】
ここで、図２に、制御ロジック回路２３における制御ロジックを示す。
ここで、SELBT1は、値が１のときに第１バッテリ２を優先すべきことを、値が０のときに第２バッテリ３を優先すべきことを表す。また、LINEH、BT1H、BT2Hは、値が１のときに電圧が正常電圧の下限TH0を超えていることを、値が０のときに電圧が正常電圧の下限TH0以下であることを表す。また、第１スイッチ１４は、BT1ONの値が１のときにオンに制御され、値が０のときにオフに制御される。また、第２スイッチ１５は、BT2ONの値が１のときにオンに制御され、値が０のときにオフに制御される。
【００１７】
さて、図示するように、この制御ロジックでは、LINEHが１であるとき、すなわち、ＤＣコンバータ１の出力電圧が正常であるときには、無条件にBT1ONの値とBT2ONの値は０となって、第１スイッチ１４と第２スイッチ１５はオフとなり、パワースイッチ１３がオンのときに、電子機器の機能部４が使用する電力Ｐは、ＤＣコンバータ１の出力となる。
【００１８】
一方、LINEHとBT1HとBT2Hの全てが０のとき、すなわち、ＤＣコンバータ１の出力電圧と第１バッテリ２の出力電圧と第２バッテリ３の出力電圧の全てが正常電圧の下限TH0以下である場合にも、BT1ONの値とBT2ONの値は０となって、第１スイッチ１４と第２スイッチ１５はオフとなる。なお、このときには、電源電圧アナログデジタル変換器２２の出力する電圧値は正常とはならないので、電源切替制御部２４によって、パワースイッチ１３はオンされず、電子機器の機能部４に電力Ｐは供給されない。
【００１９】
次に、LINEHが０であって、BT1HとBT2Hの少なくとも一方が１のとき、すなわち、ＤＣコンバータ１の出力電圧が正常電圧の下限TH0以下であって、第１バッテリ２と第２バッテリ３のいずれかの出力電圧が正常のときには、以下のようになる。
すなわち、SELBT1が１のときには、第１バッテリ２の出力電圧が正常であってBT1Hが１であれば、無条件にBT1ONの値を１とし、BT2ONの値を０とする。この結果、第１スイッチ１４はオン、第２スイッチ１５はオフとなり、パワースイッチ１３がオンのときに、電子機器の機能部４が使用する電力Ｐは、第１バッテリ２の出力となる。一方、SELBT1が１のときに、第１バッテリ２の出力電圧が正常電圧の下限TH0以下であってBT1Hが０であれば、第２バッテリ３の出力電圧が正常であってBT2Hが１の場合にのみ、BT1ONの値を０とし、BT2ONの値を１とする。この結果、第１スイッチ１４はオフ、第２スイッチ１５はオンとなり、パワースイッチ１３がオンのときに、電子機器の機能部４が使用する電力Ｐは、第２バッテリ３の出力となる。
【００２０】
そして、SELBT1が０のときには、第２バッテリ３の出力電圧が正常であってBT2Hが１であれば、無条件にBT2ONの値を１とし、BT1ONの値を０とする。この結果、第２スイッチ１５はオン、第１スイッチ１４はオフとなり、パワースイッチ１３がオンのときに、電子機器の機能部４が使用する電力Ｐは、第２バッテリ３の出力となる。一方、SELBT1が０のときに、第２バッテリ３の出力電圧が正常電圧の下限TH0以下であってBT2Hが０であれば、第１バッテリ２の出力電圧が正常であってBT1Hが１の場合にのみ、BT2ONの値を０とし、BT1ONの値を１とする。この結果、第２スイッチ１４はオフ、第１スイッチ１５はオフとなり、パワースイッチ１３がオンのときに、電子機器の機能部４が使用する電力Ｐは、第１バッテリ２の出力となる。
【００２１】
次に、前述のように、電源切替制御部２４が第１バッテリ優先信号SELBT1を制御するために行う優先バッテリ切替処理について説明する。
図３に、この優先バッテリ切替処理の手順を示す。なお、この処理は、電源切替制御部２４が起動されると実行を開始する処理である。
図示するように、この処理では、まず、第１バッテリ優先信号SELBT1の値を、最後に設定した第１バッテリ優先信号SELBT1の値に復帰する（ステップ３０２）。
そして、第１バッテリ優先信号SELBT1の値が１であるか（ステップ３０４）、０であるかを（ステップ３０６）を判定し、１であれば、第１アナログデジタル変換器２０の出力値を参照しつつ第１バッテリ２の出力電圧が所定電圧TH1以下となるのを待つ（ステップ３０８）。ここで、所定電圧TH1としては、上述した正常電圧の下限TH0と同じ値を用いる。
【００２２】
そして、第１バッテリ２の出力電圧が所定電圧TH1以下となったならば（ステップ３０８）、第２アナログデジタル変換器２１の出力値を参照して第２バッテリ３の出力電圧が所定電圧TH1超であるかどうかを調べ（ステップ３１０）、第２バッテリ３の出力電圧が所定電圧TH1超でなければ、ステップ３３２に進む。
【００２３】
一方、ステップ３１０で、第２バッテリ３の出力電圧が所定電圧TH1超であると判定されたならば、第１バッテリ優先信号SELBT1の値を０に設定し（ステップ３１２）、所定時間T（たとえば、５分）経過するのを待つ（ステップ３１４）。そして、所定時間Tが経過する前に（ステップ３１４）、第１バッテリ２の出力電圧が所定電圧TH2超に復帰した場合には（ステップ３１６）、第１バッテリ優先信号SELBT1の値を１に設定した上で（ステップ３１８）、ステップ３０４、３０６の判定に戻る。一方、第１バッテリ２の出力電圧が所定電圧TH2超に復帰することなく（ステップ３１６）、所定時間T経過したならば（ステップ３１４）、そのままステップ３０４、３０６の判定に戻る。ここで、所定電圧TH2としては、上述したTH1に所定のマージンを加えた値を用いる。
【００２４】
一方、ステップ３０６において、第１バッテリ優先信号SELBT1の値が０であると判定された場合には、第２アナログデジタル変換器２１の出力値を参照しつつ第２バッテリ３の出力電圧が所定電圧TH1以下となるのを待つ（ステップ３２０）。
そして、第２バッテリ３の出力電圧が所定電圧TH1以下となったならば（ステップ３２０）、第１アナログデジタル変換器２０の出力値を参照して第１バッテリ２の出力電圧が所定電圧TH1超であるかどうかを調べ（ステップ３２２）、第１バッテリ２の出力電圧が所定電圧TH1超でなければ、ステップ３３２に進む。
【００２５】
一方、ステップ３２２で、第１バッテリ２の出力電圧が所定電圧TH1超であると判定されたならば、第１バッテリ優先信号SELBT1の値を１に設定し（ステップ３２４）、所定時間T（たとえば、５分）経過するのを待つ（ステップ３２６）。そして、所定時間Tが経過する前に（ステップ３２６）、第２バッテリ３の出力電圧が所定電圧TH2超に復帰した場合には（ステップ３２８）、第１バッテリ優先信号SELBT1の値を０に設定した上で（ステップ３３０）、ステップ３０４、３０６の判定に戻る。一方、第１バッテリ２の出力電圧が所定電圧TH2超に復帰することなく（ステップ３２８）、所定時間T経過したならば（ステップ３２６）、そのままステップ３０４、３０６の判定に戻る。
【００２６】
さて、ステップ３１０または３２２からステップ３３２に進んだ場合には、第１バッテリ２の出力電圧が所定電圧TH1超となるか（ステップ３３２）、第２バッテリ３の出力電圧が所定電圧TH1超となる（ステップ３３４）のを待ち、先に第１バッテリ２の出力電圧が所定電圧TH1超となった場合には、第１バッテリ優先信号SELBT1の値を１に設定しステップ３０４、３０６の判定に戻り、先に第２バッテリ３の出力電圧が所定電圧TH1超となった場合には、第１バッテリ優先信号SELBT1の値を０に設定しステップ３０４、３０６の判定に戻る。
【００２７】
以上、優先バッテリ切替処理の手順を示した。
ここで、以上に説明してきた構成を有する電源制御装置１０の動作例を図４ａに示す。
いま、ＤＣコンバータ１に外部電源が接続されていない状態にあるものとする。
そして、時刻t０において、第１バッテリ２の出力電圧、第２バッテリ３の出力電圧が共に、所定電圧TH0=TH1超であり、第１バッテリ優先信号SELBT1の値が１に設定されている場合、上述した制御ロジック回路２３の制御ロジックによりBT1ONの値が１、BT2ONの値が０とされて第１スイッチ１４がオン、第２スイッチ１５がオフとなり第１バッテリ２の出力が、電子機器の機能部４が使用する電力Ｐとして供給され、第１バッテリ２は出力電圧を低下しながら、消耗していく。
【００２８】
そして、やがて、時刻t１において、第１バッテリ２の出力電圧がTH0=TH1以下となると、優先バッテリ切替処理によって、第１バッテリ優先信号SELBT1は０に設定され、上述した制御ロジック回路２３の制御ロジックによりBT1ONの値が０、BT2ONの値が１とされて第２スイッチ１５がオン、第１スイッチ１４がオフとなり第２バッテリ３の出力が、電子機器の機能部４が使用する電力Ｐとして供給される。
【００２９】
そして、その後、時刻t１から所定時間T内の時刻ｔ２において、第１バッテリ２の出力電圧がTH2＞TH0=TH1まで上昇すると、優先バッテリ切替処理によって、第１バッテリ優先信号SELBT1は１に戻され、制御ロジック回路２３の制御ロジックによりBT1ONの値が１、BT2ONの値が０とされて第１スイッチ１４がオン、第２スイッチ１５がオフとなり第１バッテリ２の出力が、電子機器の機能部４が使用する電力Ｐとして供給される。
【００３０】
また、その後、時刻t３において、再び、第１バッテリ２の出力電圧がTH0=TH1以下となると、優先バッテリ切替処理によって、第１バッテリ優先信号SELBT1は０に設定され、上述した制御ロジック回路２３の制御ロジックによりBT1ONの値が０、BT2ONの値が１とされて第２スイッチ１５がオン、第１スイッチ１４がオフとなり第２バッテリ３の出力が、電子機器の機能部４が使用する電力Ｐとして供給される。
【００３１】
そして、その後、時刻t１から所定時間T内の時刻ｔ４において、第１バッテリ２の出力電圧が再度TH2＞TH0=TH1まで上昇すると、優先バッテリ切替処理によって、第１バッテリ優先信号SELBT1は１に戻され、制御ロジック回路２３の制御ロジックによりBT1ONの値が１、BT2ONの値が０とされて第１スイッチ１４がオン、第２スイッチ１５がオフとなり第１バッテリ２の出力が、電子機器の機能部４が使用する電力Ｐとして供給される。
【００３２】
また、その後、時刻t５において、第１バッテリ２の出力電圧がTH0=TH1以下となると、優先バッテリ切替処理によって、第１バッテリ優先信号SELBT1は０に設定され、上述した制御ロジック回路２３の制御ロジックによりBT1ONの値が０、BT2ONの値が１とされて第２スイッチ１５がオン、第１スイッチ１４がオフとなり第２バッテリ３の出力が、電子機器の機能部４が使用する電力Ｐとして供給される。
【００３３】
そして、この後、時刻ｔ６において、第１バッテリ２が電子機器から一旦取り外された後に、充電されて再装着されると、第１バッテリ２の出力電圧がTH2＞TH0=TH1まで上昇するが、この時には時刻t５から所定時間Tが経過しているので、優先バッテリ切替処理によって、第１バッテリ優先信号SELBT1は０に維持されたままとなり、第２バッテリ３の出力が、電子機器の機能部４が使用する電力Ｐとして供給され続ける。
【００３４】
そして以降は、第２バッテリ３の出力電圧がTH0=TH1以下となってから所定時間T内にTH2に復帰しなくなるまで電子機器の機能部４が使用する電力Ｐの供給は以下のように制御される。すなわち、第２バッテリ３の出力電圧がTH0=TH1以下となってから所定時間T内にTH2に復帰するまでの期間を除き、第２バッテリ３の出力が、電子機器の機能部４が使用する電力Ｐとして供給され続ける。また、第２バッテリ３の出力電圧がTH0=TH1以下となってから所定時間T内にTH2に復帰するまでの期間は、第１バッテリ２の出力が、電子機器の機能部４が使用する電力Ｐとして供給される。
【００３５】
以上、本発明の実施形態について説明した。
このように本実施形態によれば、第１のバッテリと第２のバッテリのうち、機能部４の電力供給源とするバッテリとして設定したバッテリを、最初に出力電圧が所定電圧TH1=TH0に降下するまでと、所定電圧TH1=TH0に降下後に所定期間内に所定電圧TH2に復帰してから再び所定電圧TH1=TH0に降下するまで、優先的に機能部４の電力供給源として使用する。よって、当該バッテリを電子機器の動作に支障が生じない範囲内において優先的に、より完全に当該バッテリの電力を使い切るまで電力供給源として使用することができ、これにより当該バッテリをより良好に充電することができるようになる。
【００３６】
なお、以上の実施形態は、所定電圧TH2を所定電圧TH1=TH0と同じ値として適用するようにしてもよい。また、電力供給源とするバッテリとして設定したバッテリを、最初に出力電圧が所定電圧TH1=TH0に降下するまでと、所定電圧TH1=TH0に降下後に所定期間内に所定電圧TH2に復帰してから再び所定電圧TH1=TH0に降下するまで、優先的に機能部４の電力供給源として使用する本実施形態の電源制御の技術は、バッテリを３個以上備えた場合にも同様に適用することができる。
【００３７】
また、以上の実施形態は、図３に示した優先バッテリ切替処理を、ステップ３１２から直接ステップ３０４、３０６の判定に戻り、ステップ３２４から直接ステップ３０４、３０６の判定に戻るように構成することもできる。このようにすることにより、電子機器の機能部４が使用する電力Ｐの供給源として使用を開始したバッテリが、当該バッテリの出力電圧がTH0=TH1となるまでのみ、当該供給源とするバッテリとして使用されることになる。
【００３８】
ここで、この場合の動作例を図４ｂに示す。
この例では、ＤＣコンバータ１に外部電源が接続されていない状態にあるものとする。
そして、時刻t０において、第１バッテリ２の出力電圧、第２バッテリ３の出力電圧が共に、所定電圧TH0=TH1超であり、第１バッテリ優先信号SELBT1の値が１に設定されている場合、上述した制御ロジック回路２３の制御ロジックによりBT1ONの値が１、BT2ONの値が０とされて第１スイッチ１４がオン、第２スイッチ１５がオフとなり第１バッテリ２の出力が、電子機器の機能部４が使用する電力Ｐとして供給され、第１バッテリ２は出力電圧を低下しながら消耗していく。
【００３９】
そして、やがて、時刻t１において、第１バッテリ２の出力電圧がTH0=TH1以下となると、優先バッテリ切替処理によって、第１バッテリ優先信号SELBT1は０に設定され、上述した制御ロジック回路２３の制御ロジックによりBT1ONの値が０、BT2ONの値が１とされて第２スイッチ１５がオン、第１スイッチ１４がオフとなり第２バッテリ３の出力が、電子機器の機能部４が使用する電力Ｐとして供給される。
【００４０】
そして、その後は、第１バッテリ２の出力電圧の値にかかわらず、時刻ｔ２において、第１バッテリ２の出力電圧がTH0=TH1以下となるまで、優先バッテリ切替処理によって、第１バッテリ優先信号SELBT1は０に維持され、第２バッテリ３の出力が、電子機器の機能部４が使用する電力Ｐとして供給され続ける。
【００４１】
また、時刻ｔ２において、第１バッテリ２の出力電圧がTH0=TH1以下となったならば、それ以前に第１バッテリ２が電子機器から一旦取り外された後に、充電されて再装着されていれば、優先バッテリ切替処理によって、第１バッテリ優先信号SELBT1は１に設定され、制御ロジック回路２３の制御ロジックによりBT1ONの値が１、BT2ONの値が０とされて第１スイッチ１４がオン、第２スイッチ１５がオフとなり第１バッテリ２の出力が、電子機器の機能部４が使用する電力Ｐとして供給されることになる。
【図面の簡単な説明】
【００４２】
【図１】本発明の実施形態に係る電源制御装置の構成を示す図である。
【図２】本発明の実施形態に係る制御ロジック回路の制御ロジックを示す図である。
【図３】本発明の実施形態に係る優先バッテリ切替処理を示すフローチャートである。
【図４】本発明の実施形態に係る電源制御装置の動作例を示す図である。
【符号の説明】
【００４３】
１…ＤＣコンバータ、２…第１バッテリ、３…第２バッテリ、４…機能部、１０…電源制御装置、１１…ダイオード回路、１２…ダイオード、１３…パワースイッチ、１４…第１スイッチ、１５…第２スイッチ、１６…ライン用正常電圧検出回路、１７…第１正常電圧検出回路、１８…第２正常電圧検出回路、１９…ライン用アナログデジタル変換器、２０…第１アナログデジタル変換器、２１…第２アナログデジタル変換器、２２…電源電圧アナログデジタル変換器、２３…制御ロジック回路、２４…電源切替制御部、２５…ＬＤＯ。
【図１】
0004624397.tif 000002
【図２】
0004624397.tif 000003
【図３】
0004624397.tif 000004
【図４】
0004624397.tif 000005